(57)【要約】【課題】組立作業が容易に行われる給湯装置を提供する。【解決手段】浴槽水を加熱する風呂熱交換器１３と、前記風呂熱交換器１３と浴槽１２とを接続して浴槽水の追い焚きを可能とした風呂循環回路１１と、給湯水と給水とを混合して設定温度の湯水として、風呂循環回路１１を介して浴槽１２に湯張りする湯張り回路２とを備えたもので、前記風呂循環回路１１を構成する風呂混合弁５、開閉弁６、排水弁７、第１逆止弁８、流量センサ１０、第２逆止弁９及び、風呂循環回路１１を構成する流水スイッチ１７、水位センサ１８、追い焚き用三方弁２０、風呂サーミスタ２１を一体化したことにより、接続用の配管をなくすことが出来、配管部品点数が削減され、組立作業も容易となり短時間で済み、コストの低減を図ることが出来るものである。【選択図】図２
2008045850.tif 000002
【特許請求の範囲】
【請求項１】
浴槽水を加熱する風呂熱交換器と、前記風呂熱交換器と浴槽とを接続して浴槽水の追い焚きを可能とした風呂循環回路と、給湯水と給水とを混合して設定温度の湯水として、風呂循環回路を介して浴槽に湯張りする湯張り回路とを備えたものに於いて、前記風呂循環回路を構成する風呂混合弁、開閉弁、排水弁、第１逆止弁、流量センサ、第２逆止弁及び、風呂循環回路を構成する流水スイッチ、水位センサ、追い焚き用三方弁、風呂サーミスタを一体化した事を特徴とする給湯装置。
【請求項２】
前記水位センサを圧力検知するものとし、追い焚き用三方弁の近傍で樹脂管等の硬管に取り付けた事を特徴とする請求項１記載の給湯装置。
【発明の詳細な説明】
【技術分野】
【０００１】
この発明は給湯装置で特に配管の一体化に関するものである。
【背景技術】
【０００２】
従来よりこの種のものでは、貯湯タンク内の湯水を浴槽に供給する湯張り回路や、浴槽内の浴槽水を貯湯タンク内の湯水で追い焚きする風呂循環回路を備え、浴槽への湯張りや追い焚きが良好に行われるようにしたものであった。（例えば、特許文献１参照）
【特許文献１】特開２００３−１４８８００号公報
【発明の開示】
【発明が解決しようとする課題】
【０００３】
ところでこの従来のものでは、各弁やセンサ類等を配管で接続する必要があり、更に配管接続のための部品が多く、組立作業性が悪化し、コスト上昇を招くと言う問題点を有するものであった。
【課題を解決するための手段】
【０００４】
この発明はこの点に着目し上記欠点を解決するために、特にその構成を、請求項１では、浴槽水を加熱する風呂熱交換器と、前記風呂熱交換器と浴槽とを接続して浴槽水の追い焚きを可能とした風呂循環回路と、給湯水と給水とを混合して設定温度の湯水として、風呂循環回路を介して浴槽に湯張りする湯張り回路とを備えたものに於いて、前記風呂循環回路を構成する風呂混合弁、開閉弁、排水弁、第１逆止弁、流量センサ、第２逆止弁及び、風呂循環回路を構成する流水スイッチ、水位センサ、追い焚き用三方弁、風呂サーミスタを一体化したものである。
【０００５】
又請求項２では、前記水位センサを圧力検知するものとし、追い焚き用三方弁の近傍で樹脂管等の硬管に取り付けたものである。
【発明の効果】
【０００６】
この発明によれば、接続用の配管をなくすことが出来、配管部品点数が削減され、組立作業も容易となり短時間で済み、コストの低減を図ることが出来るものであり、更に湯張り回路と風呂循環回路とを一体化することにより、接続部分からの水漏れを確実に防止することが出来るものであり、常に安心して使用出来るものである。
【０００７】
又請求項２によれば、水位検知用の二方弁を廃止することが出来ると共に、浴槽の設置高さの制約を更に上方に約１ｍ延ばすことが出来て、設置の自由度が広がり使用者の希望に合った設置を行うことが出来るものである。
【発明を実施するための最良の形態】
【０００８】
次にこの発明の一実施形態を示す貯湯式給湯装置を図面に基づき説明する。
１は湯水を貯湯する貯湯タンク、この貯湯タンク１内の湯水は深夜電力を利用したヒートポンプ式の加熱手段（図示せず）で加熱されて貯湯されるものである。
【０００９】
２は貯湯タンク１上部に連通した出湯管３から分岐した湯張り回路で、貯湯タンク１内の湯水と給水管４からの給水とを設定温度に混合する風呂混合弁５と、湯張り回路２の開閉を行う開閉弁６と、給水管４の断水による負圧で湯張り回路２を大気開放状態とする排水弁７と、浴槽水の出湯管３への逆流を阻止する第１逆止弁８と第２逆止弁９と、この第１、第２逆止弁８、９の間に備えられ湯張り流量をカウントする流量センサ１０とから構成されている。
【００１０】
１１は浴槽１２と貯湯タンク１内に備えられた風呂熱交換器１３とを結ぶ風呂往き管１４と風呂戻り管１５から成る風呂循環回路で、風呂往き管１４には、浴槽水を風呂熱交換器１３に圧送し熱交換で高温に加熱された浴槽水を浴槽１２に戻す自吸式の循環ポンプ１６と、浴槽水の流れで残湯の有無を検知する流水スイッチ１７と、負荷される水圧で浴槽１２内の水位を検知する水位センサ１８と、浴槽水を風呂熱交換器１３に流すか該風呂熱交換器１３を通さずに風呂戻り管１５に戻すバイパス管１９に流すかを切替る追い焚き用三方弁２０とが備えられており、又風呂熱交換器１３で熱交換した浴槽水が浴槽１２に戻る風呂戻り管１５には、浴槽水の湯温を検知する風呂サーミスタ２１が備えられている。
【００１１】
前記湯張り回路２は風呂往き管１４途中で水位センサ１８と追い焚き用三方弁２０との間に接続され、この湯張り回路２の風呂混合弁５、開閉弁６、排水弁７、第１逆止弁８、流量センサ１０、第２逆止弁９と、風呂循環回路１１の流水スイッチ１７、水位センサ１８、追い焚き用三方弁２０、バイパス管１９、風呂サーミスタ２１とが、図２に示すように接続用の配管をなくして直接接続されてコンパクトに一体化しているものである。
【００１２】
又水位センサ１８については、図１の点線で示すように従来は、循環ポンプ１６と浴槽１２との間に備えられていたが、これを追い焚き用三方弁２０近傍で湯張り回路２の接続部分に移動させ、樹脂の硬管２２に取り付けたことで、水位センサ１８自身の位置が数十センチ上方となり、浴槽１２を２階に設置する場合のセンサの許容範囲が約１ｍ上昇することとなり、設置の自由度が拡大し使用勝手が向上すると言う利点を有するものである。
【００１３】
更に組立作業では、図２に示すように一体化されたアッセンブリーとして供給されたものを、組立ラインで出湯管３や給水管４及び風呂往き管１４や風呂戻り管１５、風呂熱交換器１３と接続するだけの簡単な作業で、従来のように接続配管と各弁やセンサ類を一ずつ接続する必要がなく、湯張り回路２及び風呂循環回路１１が素早く完成し、極めて容易に短時間で組立作業が終了出来、一体化して接続配管を廃止したことによるアッセンブリーとしてのコストダウンと、組立の簡素化によるコストダウンの両方からコストメリットは極めて高いものである。
【００１４】
次に浴槽１２への湯張り動作は、開閉弁６を開成することで、貯湯タンク１内の高温水と給水とが風呂混合弁５でリモコン（図示せず）で設定された湯温となって、風呂循環回路１１に供給され、該風呂循環回路１１では風呂往き管１４と風呂戻り管１５の両方から浴槽１２に湯張りされ、そしてこの湯張り量は流量センサ１０が予め設定された流量をカウントして開閉弁６を閉成し終了するが、湯張り量カウントの補正として、湯張り途中で時々追い焚き用三方弁２０のバイパス管１９側を閉成して、水位センサ１８で浴槽１２の水位を検知するようにしているものであり、又湯張り温度は風呂サーミスタ２１が検知して風呂混合弁５を制御している。
【００１５】
次に浴槽１２内の浴槽水温度を上昇させる追い焚き動作は、リモコンの追い焚きスイッチ（図示せず）が押圧されることにより、循環ポンプ１６が駆動し追い焚き用三方弁２０を風呂熱交換器１３側の連通状態とすることで、浴槽水は風呂往き管１４を介して風呂熱交換器１３に流通し、ここで貯湯タンク１内の高温水と熱交換で高温に加熱され、風呂戻り管１５から浴槽１２に戻る循環を順次繰り返して追い焚きが行われるものであり、浴槽１２の残湯の有無は流水スイッチ１７で検知し、更に風呂サーミスタ２１が予め設定された浴槽水の温度を検知することで追い焚きは終了するものである。
【００１６】
尚、この一実施形態では、貯湯式を例に上げて説明したが、これに限定されることなく、例えば燃焼バーナを備えたセミ貯湯式或いは、直圧式の給湯機でも同様な効果を得られるものである。
【図面の簡単な説明】
【００１７】
【図１】この発明の一実施形態を示す給湯装置の概略構成図。
【図２】同要部の斜視図。
【符号の説明】
【００１８】
２  湯張り回路
５  風呂混合弁
６  開閉弁
７  排水弁
８  第１逆止弁
９  第２逆止弁
１０  流量センサ
１１  風呂循環回路
１２  浴槽
１３  風呂熱交換器
１７  流水スイッチ
１８  水位センサ
２０  追い焚き用三方弁
２１  風呂サーミスタ
２２  硬管
【図１】
2008045850.tif 000003
【図２】
2008045850.tif 000004